(57)【特許請求の範囲】
【請求項１】
通信事業者側回線終端装置と、光伝送路を介して前記通信事業者側回線終端装置から映像情報を含む光信号を受信する１または複数の光端末装置と、前記光端末装置を監視する監視装置とを有するネットワークシステムにおいて、
前記監視装置は、
前記映像情報を含む光信号とは異なる波長の光信号に対して、前記光端末装置の状態を照会する照会情報を、前記映像情報よりも周波数の低い信号として重畳し、前記光伝送路を介して前記光端末装置に対して送信する第１送信手段と、
前記光端末装置の状態を示す状態情報を受信する第１受信手段と、を有し、
前記光端末装置は、
前記映像情報と前記照会情報を含む光信号を受信して電気信号として出力する第２受信手段と、
前記第２受信手段から出力される電気信号から周波数に基づいて前記照会情報と前記映像情報を分離して出力する分離手段と、
前記分離手段によって分離された前記照会情報に対応して前記状態情報を取得する取得手段と、
前記取得手段によって取得された前記状態情報を、前記光伝送路を介して前記監視装置に送信する第２送信手段と、を有する、
ことを特徴とするネットワークシステム。
【請求項２】
通信事業者側回線終端装置と、光伝送路を介して前記通信事業者側回線終端装置から映像情報を含む光信号を受信する１または複数の光端末装置と、前記光端末装置を監視する監視装置とを有するネットワークシステムにおいて、
前記監視装置は、
前記映像情報を含む光信号とは異なる波長の光信号に対して、前記光端末装置の状態を制御する制御情報を、前記映像情報よりも周波数の低い信号として重畳し、前記光伝送路を介して前記光端末装置に対して送信する第３送信手段と、
前記光端末装置の状態を示す状態情報を受信する第３受信手段と、を有し、
前記光端末装置は、
前記映像情報と前記制御情報を含む光信号を受信して電気信号として出力する第４受信手段と、
前記第４受信手段から出力される電気信号から周波数に基づいて前記制御情報と前記映像情報を分離して出力する分離手段と、
前記分離手段によって分離された前記制御情報に応じて当該光端末装置の動作を制御する制御手段と、
前記状態情報として前記制御手段による制御結果を取得する取得手段と、
前記取得手段によって取得された前記状態情報を、前記光伝送路を介して前記監視装置に送信する第４送信手段と、を有する、
ことを特徴とするネットワークシステム。
【請求項３】
前記状態情報は、前記光端末装置の動作状態を示す情報を含み、
前記監視装置は、前記動作状態を示す情報を提示する制御を実行する、
ことを特徴とする請求項２に記載のネットワークシステム。
【請求項４】
前記第４送信手段は、前記状態情報として、前記光端末装置が有する制御プログラムの更新状況を示す情報を送信し、
前記監視装置は、前記更新状況を示す情報に基づいて、前記制御プログラムの更新が正常に行われていないと判定した場合には、前記制御プログラムを更新させる制御を実行する、
ことを特徴とする請求項２に記載のネットワークシステム。
【請求項５】
通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記監視装置において、
前記映像情報を含む光信号とは異なる波長の光信号に対して、前記光端末装置の状態を照会する照会情報を、前記映像情報よりも周波数の低い信号として重畳することで、前記光端末装置が有する分離手段によって周波数に基づいて電気信号から前記照会情報と前記映像情報を分離可能とし、前記光伝送路を介して前記光端末装置に対して送信する第１送信手段と、
前記光端末装置の状態を示す状態情報を受信する第１受信手段と、
を有することを特徴とする監視装置。
【請求項６】
通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記監視装置において、
前記映像情報を含む光信号とは異なる波長の光信号に対して、前記光端末装置の状態を制御する制御情報を、前記映像情報よりも周波数の低い信号として重畳することで、前記光端末装置が有する分離手段によって周波数に基づいて電気信号から前記制御情報と前記映像情報を分離可能とし、前記光伝送路を介して前記光端末装置に対して送信する第３送信手段と、
前記光端末装置の状態を示す状態情報を受信する第３受信手段と、
を有することを特徴とする監視装置。
【請求項７】
通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記光端末装置において、
前記映像情報を含む光信号とは異なる波長の光信号に対して、前記光端末装置の状態を照会する照会情報を、前記映像情報よりも周波数の低い信号として重畳し、前記光伝送路を介して前記監視装置から送信される、前記映像情報と前記照会情報を含む光信号を受信して電気信号として出力する第２受信手段と、
前記第２受信手段から出力される電気信号から周波数に基づいて前記照会情報と前記映像情報を分離して出力する分離手段と、
前記分離手段によって分離された前記照会情報に対応して、前記光端末装置の状態を示す状態情報を取得する取得手段と、
前記取得手段によって取得された前記状態情報を、前記光伝送路を介して前記監視装置に送信する第２送信手段と、
を有することを特徴とする光端末装置。
【請求項８】
通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記光端末装置において、
前記映像情報を含む光信号とは異なる波長の光信号に対して、前記光端末装置の状態を制御する制御情報を、前記映像情報よりも周波数の低い信号として重畳し、前記光伝送路を介して前記監視装置から送信される、前記映像情報と前記制御情報を含む光信号を受信して電気信号として出力する第４受信手段と、
前記第４受信手段から出力される電気信号から周波数に基づいて前記制御情報と前記映像情報を分離して出力する分離手段と、
前記分離手段によって分離された前記制御情報に応じて当該光端末装置の動作を制御する制御手段と、
状態情報として前記制御手段による制御結果を取得する取得手段と、
前記取得手段によって取得された前記状態情報を、前記光伝送路を介して前記監視装置に送信する第４送信手段と、
を有することを特徴とする光端末装置。
【発明の詳細な説明】
【技術分野】
【０００１】
本発明は、ネットワークシステム、監視装置、および、光端末装置に関するものである。
【背景技術】
【０００２】
近年、ＣＡＴＶ等のネットワークシステムでは、個々の加入者宅まで光ファイバーケーブルを引き込み、全ての伝送路を完全に光ファイバ化したＦＴＴＨ（Fiver to the Home）方式を用いるシステムが普及している（例えば、特許文献１参照。）。
【０００３】
図９は、ＦＴＴＨ方式を使用するネットワークシステムの構成を示す図である。この図９に示すネットワークシステムは、通信事業者側回線終端装置７０、光分岐部３０、ＰＣ（Personal Computer）２０、ＦＳＫ（Frequency Shift Keying）変調部２２、光分岐部５０，５１、および、加入者側回線終端装置８０を有している。
【０００４】
ここで、ＰＣ２０は、加入者側回線終端装置８０に送信する情報を生成して出力する。ＦＳＫ変調部２２は、ＰＣ２０から供給される情報をＦＳＫ変調して出力する。
【０００５】
通信事業者側回線終端装置７０は、光送信部１１、光アンプ１２、および、マルチプレクサ１３を有している。マルチプレクサ１３は、ＦＳＫ変調部２２から供給されるＦＳＫ信号と、映像信号とを重畳して光送信部１１に供給する。光送信部１１は、マルチプレクサ１３から供給される電気信号を光信号に変換して光アンプ１２に供給する。光アンプ１２は、光送信部１１から供給される光信号を増幅して光分岐部３０に供給する。
【０００６】
光分岐部３０は、光アンプ１２から供給される光信号を分岐して出力する。光分岐部５０，５１も同様に入力された光信号を分岐して出力する。
【０００７】
加入者側回線終端装置８０は、光分岐部５１から供給された光信号を入力し、電気信号に変換して出力するとともに、光信号に含まれているＦＳＫ信号を抽出し、ＦＳＫ信号に含まれている情報に基づいて、装置の各部を制御する。
【０００８】
図１０は、図９に示す加入者側回線終端装置８０の詳細な構成を示す図である。図１０に示すように加入者側回線終端装置８０は、光受信部８０１、ＬＰＦ（Low Pass Filter）８０２、ＨＰＦ（High Pass Filter）８０３、ＦＳＫ復調部８０４、制御部８０５、および、帯域制限部８０６を有している。
【０００９】
ここで、光受信部８０１は、光分岐部５１から供給される光信号を電気信号に変換して出力する。ＬＰＦ８０２は、光受信部８０１から供給される電気信号に含まれる低周波成分であるＦＳＫ信号を通過させ、それ以外の成分は減衰して出力する。ＨＰＦ８０３は、光受信部８０１から供給される電気信号に含まれる高周波成分である映像信号を通過させ、それ以外の成分は減衰して出力する。ＦＳＫ復調部８０４は、ＬＰＦ８０２から供給されるＦＳＫ信号を復調して得られる情報を制御部８０５に供給する。制御部８０５は、ＦＳＫ復調部８０４から供給される情報に基づいて、装置の各部を制御する。帯域制限部８０６は、制御部８０５の制御に応じて、加入者の契約により視聴できない帯域を制限する。なお、帯域制限部８０６から出力される映像信号は、図示しないテレビジョン受像機に供給される。
【００１０】
このようなネットワークシステムでは、例えば、加入者側回線終端装置８０が有するファームウエアを最新のものに更新する場合には、ファームウエアを含む情報をＦＳＫ変調部２２に供給し、通信事業者側回線終端装置７０から全ての加入者側回線終端装置８０に対してブロードキャストによって送信することで、ファームウエアを更新することができる。
【００１１】
また、加入者側回線終端装置８０が契約によって視聴できない帯域を制限する情報である帯域制限情報を、対象となる加入者側回線終端装置８０を特定するための情報とともに、通信事業者側回線終端装置７０から送信し、加入者側回線終端装置８０では、自己宛に送信された情報を選択して受信し、帯域制限情報に基づいて帯域制限部８０６が帯域制限を行うことで、契約内容に基づいた帯域制限を行うことができる。
【先行技術文献】
【特許文献】
【００１２】
【特許文献１】米国特許第５８４１５６３号
【発明の概要】
【発明が解決しようとする課題】
【００１３】
ところで、図９および図１０に示す従来技術では、ＰＣ２０は加入者側回線終端装置のそれぞれの状態を知ることができないことから、加入者側回線終端装置を適切に制御することができないという問題点がある。
【００１４】
より詳細には、例えば、図９および図１０に示す従来技術では通常、コストの面から片方向、即ち通信事業者側回線終端装置７０側から加入者側回線終端装置８０側にのみ信号を伝送するシステムとなっているため、通信事業者側回線終端装置７０側から伝送される制御信号による制御に対して、加入者側回線終端装置８０側で当該制御が反映されない場合も考えられ、さらには、当該制御が適切に行われているか確かめられないという問題点がある。
【００１５】
上記の問題点の解決策として、例えば、ＰＣ２０から同じ制御信号を複数回送り、加入者側回線終端装置８０でそのうち所定回受信した場合に当該制御を反映するという方法等が挙げられるが、伝送方式が複雑になるに加え、結局加入者側回線終端装置８０において適切な制御が行われているかどうかを監視することはできていない。
【００１６】
また、ＰＣ２０において加入者側回線終端装置８０のそれぞれの状態を知るためには、ＰＣと加入者側回線終端装置８０との間で通信を行う必要があるが、この場合、映像信号に影響を与えることなくこれらの通信を行うためには、これらの通信用の光ファイバを新たに敷設する必要があり、コストが高くなるという問題点がある。
【００１７】
本発明は、上記の課題に鑑み、比較的少ないコストの増加で、加入者側回線終端装置の状態を知ることが可能なネットワークシステム、監視装置、および、光端末装置を提供することを目的としている。
【課題を解決するための手段】
【００１８】
上記課題を解決するために、本発明は、通信事業者側回線終端装置と、光伝送路を介して前記通信事業者側回線終端装置から映像情報を含む光信号を受信する１または複数の光端末装置と、前記光端末装置を監視する監視装置とを有するネットワークシステムにおいて、前記監視装置は、前記映像情報を含む光信号とは異なる波長の光信号に対して、前記光端末装置の状態を照会する照会情報を、前記映像情報よりも周波数の低い信号として重畳し、前記光伝送路を介して前記光端末装置に対して送信する第１送信手段と、前記光端末装置の状態を示す状態情報を受信する第１受信手段と、を有し、前記光端末装置は、前記映像情報と前記照会情報を含む光信号を受信して電気信号として出力する第２受信手段と、前記第２受信手段から出力される電気信号から周波数に基づいて前記照会情報と前記映像情報を分離して出力する分離手段と、前記分離手段によって分離された前記照会情報に対応して前記状態情報を取得する取得手段と、前記取得手段によって取得された前記状態情報を、前記光伝送路を介して前記監視装置に送信する第２送信手段と、を有する、ことを特徴とする。
このような構成によれば、比較的少ないコストの増加で、加入者側回線終端装置の状態を知ることが可能となる。
【００１９】
また、本発明は、通信事業者側回線終端装置と、光伝送路を介して前記通信事業者側回線終端装置から映像情報を含む光信号を受信する１または複数の光端末装置と、前記光端末装置を監視する監視装置とを有するネットワークシステムにおいて、前記監視装置は、前記映像情報を含む光信号とは異なる波長の光信号に対して、前記光端末装置の状態を制御する制御情報を、前記映像情報よりも周波数の低い信号として重畳し、前記光伝送路を介して前記光端末装置に対して送信する第３送信手段と、前記光端末装置の状態を示す状態情報を受信する第３受信手段と、を有し、前記光端末装置は、前記映像情報と前記制御情報を含む光信号を受信して電気信号として出力する第４受信手段と、前記第４受信手段から出力される電気信号から周波数に基づいて前記制御情報と前記映像情報を分離して出力する分離手段と、前記分離手段によって分離された前記制御情報に応じて当該光端末装置の動作を制御する制御手段と、前記状態情報として前記制御手段による制御結果を取得する取得手段と、前記取得手段によって取得された前記状態情報を、前記光伝送路を介して前記監視装置に送信する第４送信手段と、を有する、ことを特徴とする。
このような構成によれば、比較的少ないコストの増加で、光端末装置の状態を制御することが可能となる。
【００２０】
また、本発明は、前記状態情報は、前記光端末装置の動作状態を示す情報を含み、前記監視装置は、前記動作状態を示す情報を提示する制御を実行する、ことを特徴とする。
このような構成によれば、光端末装置の動作状況を確実に知ることができる。
【００２１】
また、本発明は、前記第４送信手段は、前記状態情報として、前記光端末装置が有する制御プログラムの更新状況を示す情報を送信し、前記監視装置は、前記更新状況を示す情報に基づいて、前記制御プログラムの更新が正常に行われていないと判定した場合には、前記制御プログラムを更新させる制御を実行する、ことを特徴とする。
このような構成によれば、制御プログラムを確実に更新することができる。
【００２２】
また、本発明は、通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記監視装置において、前記映像情報を含む光信号とは異なる波長の光信号に対して、前記光端末装置の状態を照会する照会情報を、前記映像情報よりも周波数の低い信号として重畳することで、前記光端末装置が有する分離手段によって周波数に基づいて電気信号から前記照会情報と前記映像情報を分離可能とし、前記光伝送路を介して前記光端末装置に対して送信する第１送信手段と、前記光端末装置の状態を示す状態情報を受信する第１受信手段と、を有することを特徴とする。
このような構成によれば、比較的少ないコストの増加で、加入者側回線終端装置の状態を知ることが可能となる。
【００２３】
また、本発明は、通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記監視装置において、前記映像情報を含む光信号とは異なる波長の光信号に対して、前記光端末装置の状態を制御する制御情報を、前記映像情報よりも周波数の低い信号として重畳することで、前記光端末装置が有する分離手段によって周波数に基づいて電気信号から前記制御情報と前記映像情報を分離可能とし、前記光伝送路を介して前記光端末装置に対して送信する第３送信手段と、前記光端末装置の状態を示す状態情報を受信する第３受信手段と、を有することを特徴とする。
このような構成によれば、比較的少ないコストの増加で、加入者側回線終端装置の状態を知ることが可能となる。
【００２４】
また、本発明は、通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記光端末装置において、前記映像情報を含む光信号とは異なる波長の光信号に対して、前記光端末装置の状態を照会する照会情報を、前記映像情報よりも周波数の低い信号として重畳し、前記光伝送路を介して前記監視装置から送信される、前記映像情報と前記照会情報を含む光信号を受信して電気信号として出力する第２受信手段と、前記第２受信手段から出力される電気信号から周波数に基づいて前記照会情報と前記映像情報を分離して出力する分離手段と、前記分離手段によって分離された前記照会情報に対応して、前記光端末装置の状態を示す状態情報を取得する取得手段と、前記取得手段によって取得された前記状態情報を、前記光伝送路を介して前記監視装置に送信する第２送信手段と、を有することを特徴とする。
このような構成によれば、比較的少ないコストの増加で、光端末装置の状態を監視装置に通知することが可能となる。
【００２５】
また、本発明は、通信事業者側回線終端装置と、光伝送路を介して前記通信事業者側回線終端装置から映像情報を含む光信号を受信する１または複数の光端末装置と、前記光端末装置を監視する監視装置とを有するネットワークシステムの前記光端末装置において、前記映像情報を含む光信号とは異なる波長の光信号に対して、前記光端末装置の状態を制御する制御情報を、前記映像情報よりも周波数の低い信号として重畳し、前記光伝送路を介して前記監視装置から送信される、前記映像情報と前記制御情報を含む光信号を受信して電気信号として出力する第４受信手段と、前記第４受信手段から出力される電気信号から周波数に基づいて前記制御情報と前記映像情報を分離して出力する分離手段と、前記分離手段によって分離された前記制御情報に応じて当該光端末装置の動作を制御する制御手段と、状態情報として前記制御手段による制御結果を取得する取得手段と、前記取得手段によって取得された前記状態情報を、前記光伝送路を介して前記監視装置に送信する第４送信手段と、を有することを特徴とする。
このような構成によれば、比較的少ないコストの増加で、光端末装置の状態を監視装置によって制御することが可能となる。
【発明の効果】
【００２６】
本発明によれば、比較的少ないコストの増加で、加入者側回線終端装置の状態を知ることが可能なネットワークシステム、監視装置、および、光端末装置を提供することが可能となる。
【図面の簡単な説明】
【００２７】
【図１】本発明の実施形態に係るネットワークシステムの構成例を示す図である。
【図２】図１に示す監視装置の構成例を示す図である。
【図３】図１に示す加入者側回線終端装置の構成例を示す図である。
【図４】図１に示す加入者側回線終端装置が受信する信号の周波数を示す図である。
【図５】図２に示す監視装置において実行される処理の流れを説明するためのフローチャートである。
【図６】図３に示す加入者側回線終端装置において実行される処理の流れを説明するためのフローチャートである。
【図７】図２に示す監視装置において実行される処理の流れを説明するためのフローチャートである。
【図８】図１に示す加入者側回線終端装置の他の構成例を示す図である。
【図９】従来のネットワークシステムの構成を示す図である。
【図１０】図９に示す加入者側回線終端装置の構成を示す図である。
【発明を実施するための形態】
【００２８】
次に、本発明の実施形態について説明する。
【００２９】
（Ａ）本発明の実施形態の構成の説明
図１は、本発明の実施形態に係るネットワークシステムの構成例を示す図である。この図に示すように、本発明の実施形態に係るネットワークシステムは、通信事業者側回線終端装置１０、ＰＣ２０、監視装置２１、ＬＡＮ（Local Area Network）２２、光分岐部３０、ＷＤＭ（Wavelength Division Multiplexer）４０、光分岐部５０，５１、および、加入者側回線終端装置６０を有している。なお、通信事業者側回線終端装置１０、監視装置２１、光分岐部３０、ＷＤＭ４０、光分岐部５０，５１、および、加入者側回線終端装置６０は各々光ファイバ等の光伝送路を介して接続されており、ＰＣ２０はＬＡＮ２２を介して監視装置２１に接続されている。
【００３０】
ここで、通信事業者側回線終端装置１０は、光送信部１１と光アンプ１２を有している。光送信部１１は、映像信号を、例えば、波長が１５５０ｎｍの光信号に変換して光アンプ１２に供給する。光アンプ１２は、光送信部１１から供給される光信号を増幅して光分岐部３０に供給する。
【００３１】
ＰＣ２０は、ＬＡＮ２２を介して監視装置２１と接続され、ＬＡＮ２２を介して監視装置２１を制御して、加入者側回線終端装置６０に所定の情報を送信するとともに、監視装置２１によって加入者側回線終端装置６０から受信した情報を、ＬＡＮ２２を介して受信する。監視装置２１は、ＰＣ２０から供給される情報をＦＳＫ変調し、映像信号と異なる光波長、例えば、１６１０ｎｍの光信号に変換して加入者側回線終端装置６０に送信するとともに、加入者側回線終端装置６０から送信される映像信号と異なる光波長、例えば、１６１０ｎｍの光信号に重畳される情報を抽出して、ＰＣ２０に供給する。
【００３２】
図２は、図１に示す監視装置２１の詳細な構成例を示す図である。この図２に示すように、監視装置２１は、制御部２１１、ＦＳＫ変調部２１２、ＦＳＫ復調部２１３、光送信部２１４、光受信部２１５、および、カプラ２１６を有している。ここで、制御部２１１は、ＬＡＮ２２を介してＰＣ２０との間で情報を授受するとともに、ＰＣ２０の制御に応じて所定の情報をＦＳＫ変調部２１２に供給する。また、制御部２１１は、ＦＳＫ復調部２１３から供給された情報をＰＣ２０に供給する。ＦＳＫ変調部２１２は、制御部２１１から供給された情報をＦＳＫ変調して光送信部２１４に供給する。光送信部２１４は、ＦＳＫ変調部２１２から供給された電気信号を、映像信号と異なる光波長、例えば、１６１０ｎｍの光信号に変換して出力する。カプラ２１６は、光送信部２１４から供給される光信号をＷＤＭ４０に出力するとともに、ＷＤＭ４０から供給される光信号を光受信部２１５に出力する。光受信部２１５は、加入者側回線終端装置６０からカプラ２１６を介して供給される映像信号と異なる光波長、例えば、１６１０ｎｍの光信号を電気信号に変換してＦＳＫ復調部２１３に供給する。ＦＳＫ復調部２１３は、光受信部２１５から供給される電気信号をＦＳＫ復調して得られる情報を制御部２１１に供給する。
【００３３】
図１において、光分岐部３０は、光アンプ１２から供給される光信号を分岐してＷＤＭ４０に出力する。ＷＤＭ４０は、光分岐部３０から供給される波長が１５５０ｎｍの光信号と、監視装置２１から供給される映像信号と異なる光波長、例えば、１６１０ｎｍの光信号を合波して光分岐部５０に供給する。また、ＷＤＭ４０は、光分岐部５０から供給される加入者側回線終端装置６０の監視情報の光信号である、映像信号と異なる光波長、例えば、１６１０ｎｍの光信号を分波し、光分岐部３０への供給を遮断して、監視装置２１に供給する。なお、図１では１つのＷＤＭ４０のみを示しているが、複数のＷＤＭ４０が光分岐部３０に接続されるようにしてもよい。または、光アンプ１２と光分岐部３０の間にＷＤＭ４０が接続される構成でもよい。
【００３４】
光分岐部５０は、ＷＤＭ４０から出力される光信号を分岐して光分岐部５１およびその他の光分岐部（図示しない）に供給するとともに、光分岐部５１およびその他の光分岐部（図示しない）から供給される光信号を合波してＷＤＭ４０に供給する。光分岐部５１は、光分岐部５０から出力される光を分岐して加入者側回線終端装置６０およびその他の加入者側回線終端装置（図示しない）に供給するとともに、加入者側回線終端装置６０およびその他の加入者側回線終端装置（図示しない）から供給される光信号を合波して光分岐部５０に供給する。
【００３５】
加入者側回線終端装置６０は、通信事業者側回線終端装置１０から送信される光信号を受信し、電気信号に変換して後段の装置（例えば、テレビジョン受像機）に供給する。また、加入者側回線終端装置６０は、監視装置２１から伝送される光信号を受信するとともに、対応する情報を光信号として監視装置２１に送信する。
【００３６】
図３は、加入者側回線終端装置６０の構成例を示す図である。この図３に示すように、加入者側回線終端装置６０は、カプラ６０１、光送信部６０２、光受信部６０３、ＦＳＫ変調部６０４、ＬＰＦ（Low Pass Filter）６０５、ＨＰＦ（High Pass Filter）６０６、ＦＳＫ復調部６０７、制御部６０８、および、帯域制限部６０９を有している。
【００３７】
ここで、カプラ６０１は、光分岐部５１から出力される光信号を光受信部６０３に供給するとともに、光送信部６０２から出力される光信号を光分岐部５１に供給する。光受信部６０３は、光分岐部５１から出力される光信号を、カプラ６０１を介して受信し、電気信号に変換してＬＰＦ６０５とＨＰＦ６０６に供給する。ＬＰＦ６０５は、光受信部６０３から出力される電気信号に含まれている低周波成分であるＦＳＫ信号を通過させ、それ以外の成分は減衰してＦＳＫ復調部６０７に供給する。ＨＰＦ６０６は、光受信部６０３から出力される電気信号に含まれている高周波成分である映像信号を通過させ、それ以外の成分は減衰して帯域制限部６０９に供給する。
【００３８】
ＦＳＫ復調部６０７は、ＬＰＦ６０５から出力される電気信号を復調して制御部６０８に供給する。制御部６０８は、ＦＳＫ復調部６０７から供給される情報に基づいて各部を制御する。ＦＳＫ変調部６０４は、制御部６０８から出力される情報をＦＳＫ変調して光送信部６０２に供給する。光送信部６０２は、ＦＳＫ変調部６０４から出力される電気信号を光信号に変換し、カプラ６０１を介して監視装置２１に送信する。帯域制限部６０９は、制御部６０８の制御に基づいて、ＨＰＦ６０６から出力される映像信号の帯域制限を実行し、後段の装置（例えば、図示しないテレビジョン受像機）に供給する。
【００３９】
（Ｂ）本発明の実施形態の動作の説明
つぎに、本発明の実施形態の動作を説明する。以下では、通信事業者側回線終端装置１０から加入者側回線終端装置６０へ映像信号を伝送する動作について説明した後に、監視装置２１と加入者側回線終端装置６０との間で状態情報を伝送する動作について説明する。
【００４０】
光送信部１１は、映像信号を波長が１５５０ｎｍの光信号に変換し、光アンプ１２に供給する。光アンプ１２は、光信号を増幅して光分岐部３０に出力する。光分岐部３０は、光信号を分岐してＷＤＭ４０に出力する。ＷＤＭ４０は、光分岐部３０から供給される波長が１５５０ｎｍの光信号と、監視装置２１から供給される波長が１６１０ｎｍの光信号を合波して、光分岐部５０に供給する。なお、波長が１５５０ｎｍの光信号には、図４に示すように周波数がｆ３〜ｆ４の映像信号が含まれている。また、波長が１６１０ｎｍの光信号には、周波数がｆ１〜ｆ２のＦＳＫ信号（詳細は後述する）が含まれている。
【００４１】
光分岐部５０は、ＷＤＭ４０から供給される光信号を分岐して光分岐部５１およびその他の光分岐部（図示しない）に供給する。光分岐部５１は、光分岐部５０から供給される光信号を分岐して加入者側回線終端装置６０およびその他の加入者側回線終端装置（図示しない）に供給する。なお、加入者側回線終端装置６０の数に合わせて適宜光分岐部５１を省略してもよいし、光分岐部５１の後段にさらに光分岐部を追加してもよい。
【００４２】
加入者側回線終端装置６０では、光分岐部５１から供給される光信号を、カプラ６０１を介して受信して光受信部６０３に供給する。光受信部６０３は、カプラ６０１から供給される光信号を電気信号に変換してＬＰＦ６０５とＨＰＦ６０６に供給する。
【００４３】
ＬＰＦ６０５は、光受信部６０３から供給される電気信号に含まれる低周波成分を通過し、それ以外の成分を減衰して出力する。ＨＰＦ６０６は、光受信部６０３から供給される電気信号に含まれる高周波成分を通過し、それ以外の成分を減衰して出力する。図４を参照して前述したように、光受信部６０３から供給される電気信号には、周波数がｆ１〜ｆ２のＦＳＫ信号と、周波数がｆ３〜ｆ４の映像信号が含まれている。ＬＰＦ６０５は、周波数がｆ１〜ｆ２のＦＳＫ信号を通過させ、周波数がｆ３〜ｆ４の映像信号を減衰させて出力する。また、ＨＰＦ６０６は、周波数がｆ１〜ｆ２のＦＳＫ信号を減衰させ、周波数がｆ３〜ｆ４の映像信号を通過させる。ＨＰＦ６０６を通過した映像信号は、帯域制限部６０９に供給される。帯域制限部６０９は、図４に示す映像信号のうち、加入者との契約に基づいて、視聴できない帯域は制限し、後段の装置であるテレビジョン受像機に供給する。この結果、加入者は、契約している帯域の映像のみを視聴することができる。視聴できない帯域の制限方法としては、例えば、ＲＦスイッチ等により当該帯域を終端する方法等がある。
【００４４】
つぎに、状態情報を伝送する動作について説明する。以下では、まず、動作原理を説明した後に、具体例を挙げて説明する。図１に示す実施形態では、加入者側回線終端装置のそれぞれの状態（例えば、動作状態や設定状態）を監視装置２１が知るための情報である照会情報を監視装置２１が送信する。より詳細には、例えば、監視装置２１が加入者側回線終端装置６０の動作状態を照会する場合、制御部２１１は、加入者側回線終端装置６０の動作状態を照会するための照会情報に対して、加入者側回線終端装置６０を送信先とする情報を付加したパケットを生成し、ＦＳＫ変調部２１２に供給する。ＦＳＫ変調部２１２は、このような情報をＦＳＫ変調し、図４に示す周波数ｆ１〜ｆ２の信号を生成する。ＦＳＫ変調部２１２によって生成されたこのような信号は、光送信部２１４によって波長が１６１０ｎｍの光信号に変換され、カプラ２１６を介してＷＤＭ４０に供給される。
【００４５】
ＷＤＭ４０は、カプラ２１６から出力される信号を光分岐部３０から出力される波長が１５５０ｎｍの光信号と合波し、光分岐部５０，５１を介して加入者側回線終端装置６０に伝送する。
【００４６】
加入者側回線終端装置６０では、光受信部６０３がカプラ６０１を介して前述した光信号を受信して電気信号に変換し、ＬＰＦ６０５とＨＰＦ６０６に供給する。ＬＰＦ６０５は、光受信部６０３から供給される周波数がｆ１〜ｆ２のＦＳＫ信号を通過させ、それ以外の帯域は減衰させてＦＳＫ復調部６０７に供給する。ＦＳＫ復調部６０７は、ＬＰＦ６０５から出力されるＦＳＫ信号を復調し、制御部６０８に供給する。制御部６０８は、ＦＳＫ復調部６０７から出力される情報を参照し、送信先が自己宛であり、また、動作状態を照会する照会情報であることを認識する。この結果、制御部６０８は、自己の動作状態（例えば、各部の動作状態を示す情報）を検出する。そして、検出した動作状態を示す情報等を含む状態情報について、監視装置２１を送信先とし、加入者側回線終端装置６０を送信元とするパケットを生成し、ＦＳＫ変調部６０４に供給する。ＦＳＫ変調部６０４は、制御部６０８から供給されたパケットをＦＳＫ変調して図４に示すｆ１〜ｆ２の周波数の信号を生成し、光送信部６０２に供給する。光送信部６０２は、ＦＳＫ変調部６０４から供給された電気信号を波長が１６１０ｎｍの光信号に変換し、カプラ６０１を介して監視装置２１に対して送信する。
【００４７】
監視装置２１の光受信部２１５は、ＷＤＭ４０から供給される波長が１６１０ｎｍの光信号を受信して電気信号に変換し、ＦＳＫ復調部２１３に供給する。ＦＳＫ復調部２１３は、光受信部２１５から供給される電気信号をＦＳＫ復調し、制御部２１１に供給する。制御部２１１は、送信先が自己宛であることから、そこに含まれる状態情報と、送信元情報を取得する。この結果、制御部２１１は、加入者側回線終端装置６０の動作状態を知ることができる。そして、例えば、加入者側回線終端装置６０に異常が発生している場合に、異常に関する詳細な情報をＰＣ２０に提供して表示させることで、管理者に対して異常の発生に関する情報を提示することができる。
【００４８】
以上に説明したように、本発明の実施形態によれば、監視装置２１を設け、この監視装置２１から加入者側回線終端装置６０に対して照会情報を、映像信号とは異なる波長の光信号に重畳して送信し、加入者側回線終端装置６０は映像信号とは異なる波長の光信号に状態情報を重畳して送信するようにしたので、既存の光ファイバを流用することで光ファイバの増設コストを低減しつつ、加入者側回線終端装置６０の動作状態を知ることができる。
【００４９】
つぎに、より詳細な動作について説明する。以下では、監視装置２１から制御プログラムを全ての加入者側回線終端装置に対して送信する場合を例に挙げて説明する。なお、以下では制御プログラムとしてファームウエアが送信される場合を例に挙げる。
【００５０】
監視装置２１の制御部２１１は、送信しようとするファームウエアを所定量のデータに分割するとともに、全ての加入者側回線終端装置を送り先とする情報（例えば、ブロードキャスト用アドレス）と、ファームウエアを更新するように要求する制御情報を付加したパケットを生成し、パケット毎にＦＳＫ変調部２１２に供給する。
【００５１】
ＦＳＫ変調部２１２は、制御部２１１から供給された情報をＦＳＫ変調して光送信部２１４に供給する。光送信部２１４は、ＦＳＫ変調部２１２から供給される電気信号を波長が１６１０ｎｍの光信号に変換してカプラ２１６を介して出力する。
【００５２】
ＷＤＭ４０は、カプラ２１６から供給される波長が１６１０ｎｍの光信号と、通信事業者側回線終端装置１０から供給される波長が１５５０ｎｍの光信号を合波して光分岐部５０，５１を介して全ての加入者側回線終端装置に伝送する。なお、全ての加入者側回線終端装置では同様の動作が実行されるので、以下では、加入者側回線終端装置６０を例に挙げて説明する。
【００５３】
加入者側回線終端装置６０のカプラ６０１は、光分岐部５１から供給される光信号を光受信部６０３に出力する。光受信部６０３は、カプラ６０１から供給される光信号を電気信号に変換してＬＰＦ６０５およびＨＰＦ６０６に供給する。前述したように、ＬＰＦ６０５は、光受信部６０３から供給される電気信号に含まれている低周波成分を通過させてＦＳＫ復調部６０７に出力する。
【００５４】
ＦＳＫ復調部６０７は、ＬＰＦ６０５から供給されるＦＳＫ信号を復調し、ファームウエアを含むパケットを制御部６０８に供給する。制御部６０８は、パケットのヘッド部に付加されている送信先を示す情報を参照し、自己を含む全ての加入者側回線終端装置宛であることから、この情報を取得する。そして、制御部６０８は、制御情報によってファームウエアを更新することが要求されていることを認識し、取得した情報からファームウエアを復元し、このファームウエアによって、既存のファームウエアを更新する。なお、以上のような動作は、全ての加入者側回線終端装置において実行される。
【００５５】
監視装置２１は、ファームウエアの送信が完了すると、つぎに、加入者側回線終端装置のそれぞれに対して、ファームウエアの更新が正常に実行されたか否かを個別に問い合わせする処理を実行する。例えば、加入者側回線終端装置６０を例に挙げて説明すると、監視装置２１の制御部２１１は、加入者側回線終端装置６０を送信先とし、ファームウエアが正常に更新されたか否かを照会する照会情報を有するパケットを生成する。そして、ＦＳＫ変調部２１２によってＦＳＫ変調した後に光送信部２１４によって光変調して送信する。
【００５６】
加入者側回線終端装置６０は、このようなパケットを受信すると、光受信部６０３によって復調した後に、ＬＰＦ６０５でＦＳＫ信号を抽出し、ＦＳＫ復調した後に制御部６０８に供給する。制御部６０８は、送信先を参照することで、自己宛の情報であることを認識し、また、ファームウエアが正常に更新されたことを照会する情報であることを認識する。なお、他の加入者側回線終端装置は、自己宛ではないので、このパケットは無視する。加入者側回線終端装置６０の制御部６０８は、ファームウエアが正常に更新されたか否かを判定し、判定結果を示す情報を有するとともに、監視装置２１を送信先とし、加入者側回線終端装置６０を送信元とするパケットを生成してＦＳＫ変調部６０４に供給する。ＦＳＫ変調部６０４は、制御部６０８から供給される情報をＦＳＫ変調し、光送信部６０２に供給する。光送信部６０２は、ＦＳＫ変調部６０４から供給される電気信号を波長が１６１０ｎｍの光信号に変換してカプラ６０１を介して送信する。
【００５７】
監視装置２１は、このような情報を受信すると、送信先を示す情報から自己宛のパケットであるとともに、送信元を示す情報から加入者側回線終端装置６０からのパケットであることを認識する。また、パケットに付加されている情報から、ファームウエアの更新の成否を示す情報であることを認識する。そして、更新の成否を示す情報により、ファームウエアの更新に失敗していると判定した場合には、加入者側回線終端装置６０に対して、ファームウエアを再度送信する動作を実行する。
【００５８】
以上の動作は、全ての加入者側回線終端装置に対して順次実行され、ファームウエアの更新の成否を１台単位で確認し、失敗した場合には、ファームウエアを再度送信する動作を実行する。これにより、全ての加入者側回線終端装置のファームウエアを確実に更新することができる。
【００５９】
つぎに、加入者側回線終端装置のそれぞれの動作状態または設定状態を照会する処理について説明する。加入者側回線終端装置の動作状態としては、例えば、受信光の光強度、映像信号の信号レベル、映像信号のＣ／Ｎ（Carrier to Noise Ratio）比、加入者側回線終端装置の電源の状態、加入者側回線終端装置の筐体内の温度等がある。また、設定状態としては、例えば、帯域制限の状態等がある。より詳細には、各加入者には、契約によって視聴できない帯域が存在し、そのような帯域を視聴できないように制限することを帯域制限と言う。以下では、動作状態と帯域制限状態を同時に問い合わせる場合を例に挙げて説明する。もちろん、これらを別々に問い合わせするようにしてもよいことは言うまでもない。
【００６０】
監視装置２１の制御部２１１は、加入者側回線終端装置のそれぞれの動作状態と、帯域制限の設定状態を照会する情報を生成する。制御部２１１は、生成した情報に対して、所望の加入者側回線終端装置を指定する情報と、自己を送信元として指定する情報を付加したパケットを生成する。制御部２１１は、このようにして生成したパケットをＦＳＫ変調部２１２に供給する。ＦＳＫ変調部２１２はパケットをＦＳＫ変調した後、光送信部２１４に供給する。光送信部２１４は、ＦＳＫ変調部２１２から供給される電気信号を波長が１６１０ｎｍの光信号に変換し、カプラ２１６を介して送信する。なお、以下では、加入者側回線終端装置６０に対してパケットが送信される場合を例に挙げて説明する。
【００６１】
加入者側回線終端装置６０では、光受信部６０３がカプラ６０１を介してこのようなパケットを受信する。光受信部６０３は、受信した光信号を電気信号に変換してＬＰＦ６０５とＨＰＦ６０６に供給する。監視装置２１から送信されたＦＳＫ変調が施されたパケットは、ＬＰＦ６０５を介してＦＳＫ復調部６０７に供給される。ＦＳＫ復調部６０７は、ＬＰＦ６０５から出力される信号をＦＳＫ復調して制御部６０８に供給する。制御部６０８は、ＦＳＫ復調部６０７から供給されるパケットの送信先から、自己宛のパケットであることを認識するとともに、付加されている情報から、動作状態と帯域制限の状態を照会する情報であることを認識する。
【００６２】
この結果、制御部６０８は、まず、加入者側回線終端装置６０の動作状態を示す情報を取得する。具体的には、受信光の光強度、映像信号の信号レベル、映像信号のＣ／Ｎ比、加入者側回線終端装置の電源の状態、および、加入者側回線終端装置の筐体内の温度等の情報を取得する。つづいて、制御部６０８は、帯域制限部６０９から帯域制限の状態を示す帯域制限情報を取得する。
【００６３】
制御部６０８は、以上のようにして取得した、加入者側回線終端装置６０の動作状態を示す動作情報と、帯域制限の状態を示す帯域制限情報とに対して、送信先を監視装置２１とし、送信元を自己とするパケットを生成してＦＳＫ変調部６０４に供給する。ＦＳＫ変調部６０４は、制御部６０８から供給されるパケットに対してＦＳＫ変調を施して光送信部６０２に出力する。光送信部６０２は、ＦＳＫ変調部６０４から供給されたパケットを波長が１６１０ｎｍの光信号に変換し、カプラ６０１を介して監視装置２１に対して送信する。
【００６４】
監視装置２１では、以上のようにして送信されたパケットを、カプラ２１６を介して受信し、光受信部２１５が電気信号に変換した後、ＦＳＫ復調部２１３がＦＳＫ復調して制御部２１１に供給する。制御部２１１は、パケットの送信先を参照することで自己宛の情報であることを認識するとともに、送信元を参照することで、加入者側回線終端装置６０から送信された情報であると認識する。そして、制御部２１１は、動作情報を参照することで、加入者側回線終端装置６０の動作状態（異常の有無）を把握することができる。また、制御部２１１は、加入者側回線終端装置６０において設定されている帯域制限に関する情報等を含む帯域制限情報を取得し、当該加入者が契約に基づき視聴できない帯域に関する情報等を含む契約情報と比較することで、帯域制限が正常に実行されているか否かを把握することができる。なお、制御部２１１は、ＬＡＮ２２を介してＰＣ２０に対して所定の情報を送信することで、例えば、動作情報から異常の発生が確認された場合に、加入者側回線終端装置６０に異常が発生していることを提示させることができる。また、帯域制限情報と契約情報とが一致しない場合には、契約情報に基づいて帯域制限情報を生成し、加入者側回線終端装置６０に対して、最新の帯域情報を送信し、このような情報を受け取った加入者側回線終端装置６０が最新の情報に基づいて帯域制限部６０９を設定することで、帯域制限を契約に基づいた適切な内容に設定することができる。
【００６５】
以上に説明したように、本発明の実施形態によれば、映像信号とは異なる波長の光信号によって、監視装置２１と加入者側回線終端装置とが情報を授受することができるため、例えば、加入者側回線終端装置のファームウエアを更新する場合には、全ての加入者側回線終端装置に対してファームウエアを送信した後に、加入者側回線終端装置のそれぞれに対して問い合わせを行うようにしたので、全ての加入者側回線終端装置の更新が正常である場合にはファームウエアを１回だけ送信すればよいので、大量の情報を送信する必要がなくなる。また、ファームウエアを送信した後に、加入者側回線終端装置のそれぞれに対して問い合わせを行うことで、全ての加入者側回線終端装置のファームウエアが正常に更新されたか否かを確認することができる。
【００６６】
また、本発明の実施形態によれば、映像信号とは異なる波長の光信号によって、監視装置２１と加入者側回線終端装置とが情報を授受することができるようしたので、例えば、加入者側回線終端装置のそれぞれの動作状態を確実に知ることができる。また、加入者側回線終端装置のそれぞれの帯域制限の状態を通知させ、契約情報と比較することで、帯域制限が正常になされているかを知ることができるとともに、正常でない場合には最新の帯域制限情報を送信することで、帯域制限を正常化することができる。
【００６７】
また、本発明の実施形態によれば、加入者側回線終端装置は、監視装置２１からの照会があった場合にのみ監視装置２１に対して光信号を送信するようにしたので、複数の加入者側回線終端装置が同時に光信号を送信することで混信が発生することを防止できる。
【００６８】
つぎに、図５〜図７を参照して、本発明の実施形態において実行される詳細な処理について説明する。
【００６９】
図５は、監視装置２１がファームウエアを送信する場合に実行される処理の流れを説明するためのフローチャートである。このフローチャートが開始されると以下のステップが実行される。
【００７０】
ステップＳ１０では、監視装置２１の制御部２１１は、ファームウエアを全ての加入者側回線終端装置に対してブロードキャストにより送信する。より詳細には、制御部２１１は、送信しようとするファームウエアをＰＣ２０から取得して所定のデータ量に分割するとともに、全ての加入者側回線終端装置を送信先とする情報（例えば、ブロードキャスト用アドレス）を付加し、ＦＳＫ変調部２１２によってＦＳＫ変調し、光送信部２１４で光信号に変換して送信する。この結果、全ての加入者側回線終端装置がこの情報を受信し、ファームウエアを更新する処理を実行する。また、ＰＣ２０において、あらかじめデータを所定の単位に分割してもよい。
【００７１】
ステップＳ１１では、制御部２１１は、対象となる加入者側回線終端装置を選択する。例えば、制御部２１１は、複数存在する加入者側回線終端装置から所定の加入者側回線終端装置として、加入者側回線終端装置６０を選択する。
【００７２】
ステップＳ１２では、制御部２１１は、ステップＳ１１で選択した加入者側回線終端装置に対して、ファームウエアの更新が正常に行われたか否かの照会を行う。より詳細には、制御部２１１は、ステップＳ１１で選択した加入者側回線終端装置に対してファームウエアの更新が正常に行われたか否かを照会するためのパケットを生成して送信する。このようなパケットを受信した加入者側回線終端装置は、ファームウエアが正常に更新されたか否かを判定し、判定結果を示す情報を監視装置２１に対して送信する。
【００７３】
ステップＳ１３では、制御部２１１は、正常に更新されたか否かを判定し、正常に更新されたと判定した場合（ステップＳ１３：Ｙ）にはステップＳ１５に進み、それ以外の場合（ステップＳ１３：Ｎ）にはステップＳ１４に進む。より詳細には、ステップＳ１２で送信した照会に対して加入者側回線終端装置が送信したパケットを受信し、パケットに付加されている情報に基づいて、ファームウエアが正常に更新されたか否かを判定する。そして、正常に更新された場合にはステップＳ１５に進み、それ以外の場合にはステップＳ１４に進む。
【００７４】
ステップＳ１４では、制御部２１１は、ステップＳ１１で選択した加入者側回線終端装置に対してファームウエアを再送する。具体的には、ファームウエアを所定の情報量に分割するとともに、それぞれの情報に送信先としてステップＳ１１で選択した加入者側回線終端装置を指定する情報を付加してパケットを生成し、このパケットを加入者側回線終端装置に対して送信する。
【００７５】
ステップＳ１５では、制御部２１１は、全加入者側回線終端装置に対する問い合わせが終了したか否かを判定し、終了していないと判定した場合（ステップＳ１５：Ｎ）の場合にはステップＳ１１に戻って同様の処理を繰り返し、それ以外の場合（ステップＳ１５：Ｙ）には処理を終了する。
【００７６】
以上の処理によれば、全ての加入者側回線終端装置に対してブロードキャストでファームウエアを送信するとともに、加入者側回線終端装置のそれぞれに対してファームウエアの更新が正常に行われたか否かを順次問い合わせし、正常でない場合には再送するようにしたので、全ての加入者側回線終端装置のファームウエアを確実に更新することができる。
【００７７】
つぎに、図６を参照して、加入者側回線終端装置６０において定期的に（例えば、数秒間隔で）実行される処理の流れについて説明する。図６に示す処理が開始されると、以下のステップが実行される。
【００７８】
ステップＳ３０では、加入者側回線終端装置６０の制御部６０８は、監視装置２１からパケットを受信したか否かを判定し、パケットを受信したと判定した場合（ステップＳ３０：Ｙ）にはステップＳ３１に進み、それ以外の場合（ステップＳ３０：Ｎ）には処理を終了する。例えば、監視装置２１から、ファームウエアを更新するためのパケットを受信した場合、動作状況を問い合わせるパケットを受信した場合、または、帯域制限の状態を問い合わせるパケットを受信した場合には、ステップＳ３１に進む。
【００７９】
ステップＳ３１では、制御部６０８は、ステップＳ３０で受信したパケットに制御情報が含まれているか否かを判定し、含まれていると判定した場合（ステップＳ３１：Ｙ）にはステップＳ３２に進み、それ以外の場合（ステップＳ３１：Ｎ）にはステップ３３に進む。なお、制御情報とは、加入者側回線終端装置に対して所定の動作を実行させるための情報をいう。
【００８０】
ステップＳ３２では、制御部６０８は、制御情報に対応する処理を実行しステップ３３に進む。より詳細には、ファームウエアの更新を要求する制御情報の場合にはファームウエアを更新し、帯域制御情報の更新を要求する制御情報の場合には帯域制限情報を更新する。
【００８１】
ステップＳ３３では、制御部６０８は、ステップＳ３０で受信したパケットに照会情報が含まれているか否かを判定し、含まれていると判定した場合（ステップＳ３３：Ｙ）にはステップＳ３４に進み、それ以外の場合（ステップＳ３３：Ｎ）にはステップＳ３５に進む。なお、照会情報とは、加入者側回線終端装置の動作状況を問い合わせたり、帯域制限状態を問い合わせたりする情報をいう。
【００８２】
ステップＳ３４では、制御部６０８は、照会情報に対する状態情報を取得する。例えば、加入者側回線終端装置の動作状況に対する照会の場合には、受信光の光強度、映像信号の信号レベル、映像信号のＣ／Ｎ比、電源の状態、筐体内の温度等の情報を取得する。また、帯域制限に関する照会の場合には、帯域制限部６０９に設定されている帯域制限情報を取得する。
【００８３】
ステップＳ３５では、制御部６０８は、受信したパケットに対応して制御及び照会情報取得の結果を監視装置２１に対して送信する。より詳細には、制御部６０８は、受信したパケットに制御情報が含まれている場合には制御を実行した結果を監視装置２１に対して送信し、受信したパケットに照会情報が含まれている場合には、動作状況を示す状態情報または帯域制御の状態を示す状態情報を監視装置２１に対して送信する。
【００８４】
以上の処理によれば、監視装置２１から照会がなされた場合には、対応する情報を監視装置２１に対して送信することができる。また、監視装置２１から制御情報を受信した場合には対応する動作を実行することができる。
【００８５】
つぎに、図７を参照して、監視装置２１が加入者側回線終端装置に対して照会情報を送信し、動作情報または帯域制限情報を取得する際の処理の流れについて説明する。図７に示すフローチャートの処理が開始されると、以下のステップが実行される。
【００８６】
ステップＳ５０では、制御部２１１は、複数存在する加入者側回線終端装置のなかから、対象となる加入者側回線終端装置を選択する。例えば、対象となる加入者側回線終端装置として、加入者側回線終端装置６０を選択する。
【００８７】
ステップＳ５１では、制御部２１１は、ステップＳ５０で選択した加入者側回線終端装置に対して照会情報を送信する。例えば、制御部２１１は、動作状態と帯域制限の状態を照会する照会情報を、加入者側回線終端装置６０に対して送信する。この結果、加入者側回線終端装置６０では、図６に示す処理により、照会情報に対応する状態情報を送信する。
【００８８】
ステップＳ５２では、制御部２１１は、ステップＳ５１において送信した照会情報に対応する状態情報を正常に受信したか否かを判定し、正常に受信したと判定した場合（ステップＳ５２：Ｙ）にはステップＳ５３に進み、それ以外の場合（ステップＳ５２：Ｎ）にはステップＳ５１に戻って同様の処理を繰り返す。
【００８９】
ステップＳ５３では、制御部２１１は、ステップＳ５２で受信した状態情報に加入者側回線終端装置の動作状態を示す動作情報が含まれているか否かを判定し、含まれている場合（ステップＳ５３：Ｙ）にはステップＳ５４に進み、それ以外の場合（ステップＳ５３：Ｎ）にはステップＳ５６に進む。例えば、加入者側回線終端装置６０の受信光の光強度、映像信号の信号レベル、映像信号のＣ／Ｎ比、電源の状態、筐体内の温度等の情報が含まれている場合にはステップＳ５４に進む。
【００９０】
ステップＳ５４では、ステップＳ５３で抽出した動作情報を参照して、対象となる加入者側回線終端装置が正常に動作しているか否かを判定し、正常に動作していると判定した場合（ステップＳ５４：Ｙ）にはステップＳ５６に進み、それ以外の場合（ステップＳ５４：Ｎ）にはステップＳ５５に進む。例えば、加入者側回線終端装置６０の受信光の光強度が所定の閾値よりも低下している場合にはステップＳ５５に進む。
【００９１】
ステップＳ５５では、制御部２１１は、警告を発生する。より詳細には、制御部２１１は、動作異常が発生している加入者側回線終端装置を特定する情報と、動作異常の内容を示す情報とをＰＣ２０に供給する。この結果、ＰＣ２０は、所定の加入者側回線終端装置に対して異常が発生したことを提示する。
【００９２】
ステップＳ５６では、制御部２１１は、ステップＳ５２で受信した情報に帯域制限情報が含まれているか否かを判定し、含まれている場合（ステップＳ５６：Ｙ）にはステップＳ５７に進み、それ以外の場合（ステップＳ５６：Ｎ）にはステップＳ６０に進む。例えば、加入者側回線終端装置６０の帯域制限情報が含まれている場合にはステップＳ５７に進む。
【００９３】
ステップＳ５７では、制御部２１１は、ステップＳ５６で抽出した帯域制限情報と、契約情報とを比較する。より詳細には、制御部２１１は、対象となる加入者側回線終端装置の契約情報を取得し、取得した契約情報と、ステップＳ５６で取得した帯域制限情報とを比較する。
【００９４】
ステップＳ５８では、制御部２１１は、帯域制限情報と契約情報とが一致するか否かを判定し、一致すると判定した場合（ステップＳ５８：Ｙ）にはステップＳ６０に進み、それ以外の場合（ステップＳ５８：Ｎ）には５９に進む。例えば、加入者側回線終端装置６０の契約情報と、帯域制限情報が一致しない場合にはステップＳ５９に進む。
【００９５】
ステップＳ５９では、制御部２１１は、契約情報に対応する帯域制限を行うための情報を生成して送信する。より詳細には、制御部２１１は、契約情報に対応する帯域制限を行うための制御情報を生成して加入者側回線終端装置６０に対して送信する。この結果、加入者側回線終端装置６０では、受信した制御情報に基づいて、帯域制限部６０９を設定する。
【００９６】
ステップＳ６０では、制御部２１１は、全ての加入者側回線終端装置に対する照会処理が終了したか否かを判定し、終了していないと判定した場合（ステップＳ６０：Ｎ）にはステップＳ５０に戻って前述の場合と同様の処理を繰り返し、それ以外の場合には処理を終了する。
【００９７】
以上の処理によれば、加入者側回線終端装置のそれぞれに対して照会情報を送信して動作情報と帯域制限情報とを得ることができる。また、帯域制限情報と契約情報とが一致しない場合には、加入者側回線終端装置に対して帯域制限情報を更新するように要求することができる。なお、図７に示す処理では、動作情報と帯域制限情報とを同時に照会するようにしたが、これらのいずれか一方を照会するようにしてもよい。
【００９８】
（Ｃ）変形実施形態の説明
以上の実施形態は一例であって、本発明が上述したような場合のみに限定されるものでないことはいうまでもない。例えば、以上の実施形態では、映像信号は１５５０ｎｍの光を用い、ＦＳＫ信号は１６１０ｎｍの光を用いるようにしたが、これ以外の波長の光を用いるようにしてもよい。
【００９９】
また、以上の実施形態では、加入者側回線終端装置は監視装置２１からの照会があった場合に光信号を送信するようにしたが、例えば、各加入者側回線終端装置に対して応答可能なタイミングを割り当て、割り当てられたタイミングで加入者側回線終端装置が光信号を送信するようにしてもよい。
【０１００】
また、以上の実施形態では、加入者側回線終端装置の動作状態および設定状態を示す情報を監視装置２１に送信するようにしたが、これら以外の情報を送信するようにしてもよい。また、ファームウエア以外の情報を監視装置２１から送信するようにしてもよい。
【０１０１】
また、以上の実施形態では、ＰＣ２０と監視装置２１をＬＡＮ２２によって接続するようにしたが、これ以外の方法によって接続するようにしてもよい。
【０１０２】
また、以上の実施形態では、ＦＴＴＨ方式における加入者側回線終端装置の監視および制御の例を示したが、ＨＦＣ（Hybrid Fiber-Coaxial）方式の伝送システムにおける光端末装置の監視および制御に適用してもよい。このような場合、ＨＦＣ方式の伝送システムは通常双方向通信が可能な構成とされているため、例えば、上り信号に対してＦＳＫ信号を重畳する構成とすることで、ＨＦＣ方式の伝送システムにおける光端末装置の監視および制御にも本発明を適用する事ができる。
【０１０３】
また、以上の実施形態では、光受信部６０３は、カプラ６０１から供給される光信号を電気信号に変換してＬＰＦ６０５とＨＰＦ６０６に供給する構成を示したが、図８に示す様に、当該電気信号を、ＲＦ分岐部６１０を介してＢＰＦ(Band Pass Filter)６１１および帯域制限部６０９に供給する構成としてもよい。より具体的には、図８に示す実施形態において、光受信部６０３から供給される電気信号には、周波数がｆ２〜ｆ３のＦＳＫ信号と、周波数がｆ１〜ｆ２、ｆ３〜ｆ４の映像信号が含まれている（ｆ１＜ｆ２＜ｆ３＜ｆ４）。光受信部６０３から供給される電気信号はＲＦ分岐部６１０によって分岐されるが、分岐された電気信号のうち一方はＢＰＦ６１１に供給され、他方は帯域制限部６０９に供給される。このとき、ＢＰＦ６１１は周波数ｆ２〜ｆ３のＦＳＫ信号を通過して、それ以外の帯域は減衰させてＦＳＫ復調部６０７に供給する。この他の構成は上述した実施形態と同等である。図８に示した構成においても、上述の実施形態と同様に加入者側回線終端装置の監視および制御を行うことができる。
【符号の説明】
【０１０４】
１０  通信事業者側回線終端装置
１１  光送信部
１２  光アンプ
２０  ＰＣ
２１  監視部
２２  ＬＡＮ
３０  光分岐部
４０  ＷＤＭ
５０，５１  光分岐部
６０  加入者側回線終端装置（光端末装置）
２１１  制御部
２１２  ＦＳＫ変調部
２１３  ＦＳＫ復調部
２１４  光送信部（第１送信手段、第３送信手段）
２１５  光受信部（第１受信手段、第３受信手段）
２１６  カプラ
６０１  カプラ
６０２  光送信部（第２送信手段、第４送信手段）
６０３  光受信部（第２受信手段、第４受信手段）
６０４  ＦＳＫ変調部
６０５  ＬＰＦ
６０６  ＨＰＦ
６０７  ＦＳＫ復調部
６０８  制御部（取得手段、制御手段）
６０９  帯域制限部
６１０  ＲＦ分岐部
６１１  ＢＰＦ
【図１】
0006373244.tif 000002
【図２】
0006373244.tif 000003
【図３】
0006373244.tif 000004
【図４】
0006373244.tif 000005
【図５】
0006373244.tif 000006
【図６】
0006373244.tif 000007
【図７】
0006373244.tif 000008
【図８】
0006373244.tif 000009
【図９】
0006373244.tif 000010
【図１０】
0006373244.tif 000011